(57)【要約】【課題】  磁気微粒子とＳＱＵＩＤ磁気センサーを用いて、微量な磁気微粒子を磁気的方法により３次元的に、高感度に効率的に検出可能な微量磁性微粒子計測技術を提供する。【解決手段】  前記複数の円盤型試料ホルダーは前記円盤型試料ホルダーの回転により順次前記磁気シールドの外部から内部に挿入されるよう構成され、かつ、前記磁化手段は前記標準化検体を前記磁気シールドの外部で磁化し、前記磁気センサーは磁化された前記標準化検体から発生する磁場を前記磁気シールドの内部で検出し、前記磁場の検出と前記磁化とが並行して実行され、前記検体を連続的に切削し、切削前後に前記磁気センサーで、磁化された前記標準化検体から発生する磁場を計測するよう構成する。【選択図】図３
2008157786.tif 000002
【特許請求の範囲】
【請求項１】
非磁性物質と結合した微少な磁気微粒子を含有する微量磁性薬剤を含む細胞組織の検体を収納する試料ホルダーを円周上に保持する円盤型試料ホルダーと、前記円盤型試料ホルダーをその中心軸の回りに回転させる回転手段と、前記検体を前記円盤型試料ホルダー上で昇降させる昇降手段と、前記検体の一部を切削除去する切削手段と、前記検体の一部を切削除去した部分を拡大撮影する画像取得手段と、前記検体を磁化する磁化手段と、磁化された前記標識化検体から発生する磁場を検出する磁気センサーと、前記磁気センサーを囲む磁気シールドとを有し、
前記複数の円盤型試料ホルダーは前記円盤型試料ホルダーの回転により順次前記磁気シールドの外部から内部に挿入されるよう構成され、前記磁化手段は前記標準化検体を前記磁気シールドの外部で磁化し、前記磁気センサーは磁化された前記標準化検体から発生する磁場を前記磁気シールドの内部で検出し、前記磁場の検出と前記磁化とが並行して実行され、前記検体を連続的に切削し、切削前後に前記磁気センサーで磁化された前記標準化検体から発生する磁場を計測するよう構成したことを特徴とする微量磁性薬剤検出装置。
【請求項２】
請求項１に記載の微量磁性薬剤検出装置において、
前記細胞組織の検体を氷結固形化する冷却手段を前記円盤型試料ホルダーに具備することを特徴とする微量磁性薬剤検出装置。
【請求項３】
請求項２に記載の微量磁性薬剤検出装置において、
前記冷却手段を液体冷媒で構成されることを特徴とする微量磁性薬剤検出装置。
【請求項４】
請求項２に記載の微量磁性薬剤検出装置において、
前記冷却手段をドライアイスで冷却される液体冷媒で構成されることを特徴とする微量磁性薬剤検出装置。
【請求項５】
請求項２に記載の微量磁性薬剤検出装置において、
前記冷却手段を電子冷却手段で冷却される液体冷媒で構成されることを特徴とする微量磁性薬剤検出装置。
【請求項６】
請求項２に記載の微量磁性薬剤検出装置において、
前記冷却手段を電子冷却手段で冷却される非磁性蓄熱物質で構成されることを特徴とする微量磁性薬剤検出装置。
【請求項７】
請求項２に記載の微量磁性薬剤検出装置において、
前記冷却手段を電子冷却手段で冷却される非磁性ホルダーで構成されることを特徴とする微量磁性薬剤検出装置。
【請求項８】
請求項１に記載の微量磁性薬剤検出装置において、
前記切削手段で切削後発生する切片を除去，回収する清掃手段を具備することを特徴とする微量磁性薬剤検出装置。
【請求項９】
非磁性物質と結合した微少な磁気微粒子を含有する微量磁性薬剤を含む細胞組織の検体を収納する試料ホルダーを円周上に保持する円盤型試料ホルダーと、前記円盤型試料ホルダーをその中心軸の回りに回転させる回転工程と、前記検体を前記円盤型試料ホルダー上で昇降させる昇降工程と、前記検体の一部を切削除去する切削工程と、前記検体の一部を切削除去した部分を拡大撮影する画像取得工程と、前記検体を磁化する磁化工程と、磁化された前記標識化検体から発生する磁場を検出する工程とが連続的もしくはプログラム化されて実行されることを特徴とする磁性薬剤検出方法。
【請求項１０】
請求項９に記載の磁性薬剤検出方法において、
前記磁場を検出する工程で、切削工程前後に計測された結果から、その差分を演算する演算工程がなされることを特徴とする磁性薬剤検出方法。
【請求項１１】
請求項９に記載の磁性薬剤検出方法において、
切削工程前後に計測される工程で、検体を上昇させる工程後に切削工程を実行され、その後計測される工程前に検体を降下させる工程を実行させ、検体を切削前の位置に戻して切削後の計測される工程前を実行し、その後再度検体を切削後の位置に上昇させる工程を実施され、前記切削後の検体を磁化する磁化工程を実施する工程を有することを特徴とする磁性薬剤検出方法。
【請求項１２】
請求項９に記載の磁性薬剤検出方法において、
前記円盤型試料ホルダーをその中心軸の回りに回転させる回転工程とその回転の半径方向に移送する半径方向移動工程を組み合わせる工程が必要に応じてなされることを特徴とする磁性薬剤検出方法。
【請求項１３】
請求項９に記載の磁性薬剤検出方法において、
前記円盤型試料ホルダーをその中心軸の回りに回転させる回転工程と正逆方向の切り返し回転工程が必要に応じてなされることを特徴とする磁性薬剤検出方法。
【発明の詳細な説明】
【技術分野】
【０００１】
本発明は、微量磁性薬剤検出装置及び磁性薬剤検出方法に関するものである。
【背景技術】
【０００２】
近年、ＤＤＳ（Drug Delivery System）によって癌患部への薬剤の集積効率を高めることで患者への投薬量を低減する治療が検討されてきている。この治療は副作用が軽減されるため患者に優しく、癌患部を効率的に殺滅する将来の医療技術として有望視されている。
【０００３】
血液中に投与された薬剤を患部まで誘導する手段の１つとして、例えば図１に示すようなものがある。これは材質がフェライトで、粒子径が１００ナノメートル前後の磁性粒子５０の周りに直接もしくは間接的に微小薬剤５１を結合させた磁性薬剤を血液中に投薬し、体外に配置した磁気誘導手段で、患者の動脈血管の分岐部において所定の方向に磁性薬剤を誘導するものである。これにより、患部近傍に磁性薬剤を人為的に集積効率を高めて誘導することが可能である。このＤＤＳにおいては、ナノサイズの磁性薬剤粒子が患部付近に定量的に集積したか計測することが、磁気誘導手段および磁性薬剤自身の開発研究評価に必要不可欠となる。
【０００４】
一方、免疫検査の一般的な方法として、検出対象とする抗原に選択的に結合する検出用抗体を蛍光酵素等の光学マーカーで標識して、抗原−抗体の結合反応を光学マーカーからの光信号を検出し、抗原の種類及び量を検出する光学的方法がある。しかし、光学的方法では、細胞内部の光源に関し、光源外部の細胞が光の透過を阻害してしまい、検出感度が十分ではない。したがって、定量的計測が十分行えず、また、検出感度を低下させる未結合の光学マーカーを完全に洗い流す工程が必要であった。
【０００５】
光学的方法を上回る検出感度を得る方法として、近年、ＳＱＵＩＤ (超電導量子干渉素子：Superconducting Quantum Interference Device)磁気センサーを用い、微量な磁気微粒子を定量的に検出する磁気的方法が提案されている。この磁気的方法では、微量な磁気微粒子を、非常に高感度なＳＱＵＩＤ磁気センサーを用いて検出する。
【０００６】
微量な磁気微粒子を検出する方法について、以下に説明する、（１）磁化率の測定、
（２）残留磁気の測定に基づく方法が提案されている。
【０００７】
以下、（１），（２）について説明する、
（１）磁化率を測定する方法：
ＳＱＵＩＤ磁気センサーの磁束検出方向と直角な方向から、微量な磁気微粒子を磁化させる直流磁界を印加し、ＳＱＵＩＤ磁気センサーの磁束検出領域内を移動する微量な磁気微粒子より生じた磁界の変化を測定している（例えば、特開２００１−３３４５５号公報を参照）。
【０００８】
また、微量な磁気微粒子に対して交流磁界を印加し、その信号をＳＱＵＩＤ磁気センサーを用いて磁気微粒子を検出している（例えば、特開２００１−１３３４５８号公報を参照）。
（２）残留磁気を測定する方法：
磁気微粒子のサイズが大きくなると、磁気微粒子の残留磁気は緩和しなくなる。SQUID磁気センサーから離れた場所で微量な磁気微粒子に０.１Ｔ 程度の磁界を印加し、磁気微粒子に残留磁化を発生させる。この後に、試料を乗せた基板を移動し残留磁化をSQUID 磁気センサーで測定する（例えば、特表平１０−５１３５５１号公報を参照）。
【０００９】
また、特開２００４−０６８６４５号公報記載された微量な磁気微粒子を検出する磁気的方法に関する具体例を説明しておく。
【００１０】
図２は、微量な磁気微粒子を用いた従来技術の磁気微粒子検査装置を説明する図である。  
図２は従来技術になる磁気微粒子検査装置の一部構成を示す断面を含む図であり、装置の測定時における構成要素の配置状態を説明するものである。  
複数の円盤型試料ホルダー２は、非磁性の円盤型試料ホルダー３（以下、単に、試料ホルダー３という）により円周上に固定されている。試料ホルダー３は回転機構４によって回転する。回転機構４は、移動ステージ５上で３次元方向に移動可能に保持されている。移動ステージ５上での回転機構４の移動により、試料ホルダー３は磁気シールド１の内部へ移動され位置調整される。
【００１１】
微量な磁気微粒子の磁気信号を検出する高温超電導ＳＱＵＩＤ１１（以下、単に、
ＳＱＵＩＤ１１という）は、サファイアロッド９及び銅ロッド１０を介して、液体窒素７によって超電導転移温度以下に冷却され、真空断熱容器の外槽６ａ，真空断熱容器の内槽６ｂから構成される真空断熱容器６によって外部と熱的に遮断されている。真空断熱容器６は、ＳＵＳやＦＲＰ等の非磁性材料から構成される。真空断熱容器６の内槽６ｂの内部へ排気・供給ポート８を通して、気化した窒素の排気，液体窒素の供給が行われる。
ＳＱＵＩＤ昇温用光源１３は、ＳＱＵＩＤ１１を加熱しトラップ磁束の除去に使用される。
【００１２】
ＳＱＵＩＤ１１は、環境磁気雑音の入力を低減するために、磁気シールド１によって囲まれている。磁気シールド１は、パーマロイ等の高透磁率材料から構成され、磁気シールド１ａ，１ｂ，１ｃから構成される３層構造をもっている。なお、磁気シールドの効率をより向上させるために、磁気シールド１を多層構造とすることが望ましい。
【００１３】
磁気シールド１（１ａ，１ｂ，１ｃ）の一部には切欠き穴１９が形成されている。測定時には、円盤型試料ホルダー２及び試料ホルダー３の一部は切欠き穴１９から円盤型試料ホルダー２の交換時、又はＳＱＵＩＤ１１の制御回路の調整時には試料ホルダー３及び円盤型試料ホルダー２は完全に磁気シールド１の外部に露出した状態となる。
【００１４】
本構成により、永久磁石又は磁場印加用コイルの発する磁場のＳＱＵＩＤ１１に対する影響が低減される。よって、磁気シールド１の内部にある円盤型試料ホルダー２内の微量な磁気微粒子の磁気信号をＳＱＵＩＤ１１によって測定しながら、磁気シールド１の外部にある他の円盤型試料ホルダー２内の微量な磁気微粒子に磁場を印加し、試料ホルダー３を回転させることによって、磁気シールド１の内部にある円盤型試料ホルダー２内の微量な磁気微粒子から発生する磁場の測定と、磁気シールド１の外部にある他の円盤型試料ホルダー２内の微量な磁気微粒子の磁化とを、同時にもしくは並行して行う。
【００１５】
【特許文献１】特開２００１−３３４５５号公報
【特許文献２】特開２００１−１３３４５８号公報
【特許文献３】特表平１０−５１３５５１号公報
【特許文献４】特開２００４−０６８６４５号公報
【発明の開示】
【発明が解決しようとする課題】
【００１６】
癌細胞を含有する細胞組織（以下、検査細胞組織と称す）中に、例えば磁気的誘導等の手段で薬剤成分を担架された状態でデリバリーされた微量な磁気微粒子が、どの程度の量で集積され、２次元および３次元的にどのように分布しているかを磁気的方法により測定できる微量磁性微粒子測定検査装置の実用化のためには、検査細胞組織の試料の効率的な測定が要求される。従来技術の磁気的方法では、いかに微量な磁気微粒子を測定するかに主眼が置かれ、２次元および３次元的な微量な濃度分布を計測するための方法の具体的な提案は従来なされていない。
【００１７】
従来の磁気的方法では、細胞組織試料あるいは微量な磁気微粒子サンプルを収納する円盤容器上に、単数もしくは複数個固定して測定する方法が採られており、それぞれの試料の個別の計測を実施するのみであった。
【００１８】
前述の従来技術では、光学顕微鏡で検査細胞組織の母体端面のスライス面を薄くスライスしながらその顕微鏡観察画像を取得し、検査細胞組織の母体の各断層断面画像を映像的に再構成し、２次元および３次元の画像を可視化する電子的多層画像構成手段を具備しているが、微量な磁性粒子を計測することを目的とするものではない。
【００１９】
本発明の目的は、磁気微粒子とＳＱＵＩＤ磁気センサーを用いて、微量な磁気微粒子を磁気的方法により、高感度に効率的に２次元および３次元的な微量な濃度分布を検出可能な微量磁性微粒子計測技術を提供することにある。
【課題を解決するための手段】
【００２０】
上記目的は、非磁性物質と結合した微少な磁気微粒子を含有する微量磁性薬剤を含む細胞組織の検体を収納する試料ホルダーを円周上に保持する円盤型試料ホルダーと、前記円盤型試料ホルダーをその中心軸の回りに回転させる回転手段と、前記検体を前記円盤型試料ホルダー上で昇降させる昇降手段と、前記検体の一部を切削除去する切削手段と、前記検体の一部を切削除去した部分を拡大撮影する画像取得手段と、前記検体を磁化する磁化手段と、磁化された前記標識化検体から発生する磁場を検出する磁気センサーと、前記磁気センサーを囲む磁気シールドとを有し、前記複数の円盤型試料ホルダーは前記円盤型試料ホルダーの回転により順次前記磁気シールドの外部から内部に挿入されるよう構成され、前記磁化手段は前記標準化検体を前記磁気シールドの外部で磁化し、前記磁気センサーは磁化された前記標準化検体から発生する磁場を前記磁気シールドの内部で検出し、前記磁場の検出と前記磁化とが並行して実行され、前記検体を連続的に切削し、切削前後に前記磁気センサーで磁化された前記標準化検体から発生する磁場を計測するよう構成したことにより達成される。
【００２１】
前記細胞組織の検体を氷結固形化する冷却手段を前記円盤型試料ホルダーに具備することにより達成される。
【００２２】
前記冷却手段を液体冷媒で構成されることにより達成される。
【００２３】
前記冷却手段をドライアイスで冷却される液体冷媒で構成されることにより達成される。
【００２４】
前記冷却手段を電子冷却手段で冷却される液体冷媒で構成されることにより達成される。
【００２５】
前記冷却手段を電子冷却手段で冷却される非磁性蓄熱物質で構成されることにより達成される。
【００２６】
前記冷却手段を電子冷却手段で冷却される非磁性ホルダーで構成されることにより達成される。
【００２７】
前記切削手段で切削後発生する切片を除去，回収する清掃手段を具備することにより達成される。
【００２８】
非磁性物質と結合した微少な磁気微粒子を含有する微量磁性薬剤を含む細胞組織の検体を収納する試料ホルダーを円周上に保持する円盤型試料ホルダーと、前記円盤型試料ホルダーをその中心軸の回りに回転させる回転工程と、前記検体を前記円盤型試料ホルダー上で昇降させる昇降工程と、前記検体の一部を切削除去する切削工程と、前記検体の一部を切削除去した部分を拡大撮影する画像取得工程と、前記検体を磁化する磁化工程と、磁化された前記標識化検体から発生する磁場を検出する工程とが連続的もしくはプログラム化されて実行されることにより達成される。
【００２９】
前記磁場を検出する工程で、切削工程前後に計測された結果から、その差分を演算する演算工程がなされることにより達成される。
【００３０】
切削工程前後に計測される工程で、検体を上昇させる工程後に切削工程を実行され、その後計測される工程前に検体を降下させる工程を実行させ、検体を切削前の位置に戻して切削後の計測される工程前を実行し、その後再度検体を切削後の位置に上昇させる工程を実施され、前記切削後の検体を磁化する磁化工程を実施する工程を有することにより達成される。
【００３１】
前記円盤型試料ホルダーをその中心軸の回りに回転させる回転工程とその回転の半径方向に移送する半径方向移動工程を組み合わる工程が必要に応じてなされることにより達成される。
【００３２】
前記円盤型試料ホルダーをその中心軸の回りに回転させる回転工程と正逆方向の切り返し回転工程が必要に応じてなされることにより達成される。
【発明の効果】
【００３３】
本発明によれば、磁気微粒子とＳＱＵＩＤ磁気センサーを用いて、微量な磁気微粒子を磁気的方法により、高感度に効率的に２次元および３次元的な微量な濃度分布を検出可能な微量磁性微粒子計測技術を提供できる。
【発明を実施するための最良の形態】
【００３４】
以下、本発明の一実施例を添付した図にしたがって説明する。
【実施例１】
【００３５】
本発明の実施例で説明する微量磁性薬剤検出装置及び磁性薬剤検出方法では、図１に示すような微量な磁性薬剤が適用される。また、本実施例による微量磁性薬剤検出装置において、磁場検出を行う近傍で使用される構成要素は、非磁性材料で構成されることが計測への磁気雑音の混入抑制の点から望ましい。
【００３６】
図３は、本実施例の微量磁性薬剤検出装置の構成を示す断面図であり、ＳＱＵＩＤ及び冷却系の構成を示す図である。  
図３において、例えばイットリューム系の高温超電導材で構成れたＳＱＵＩＤセンサー６１は、円盤型試料ホルダー６２内細胞組織試料である検査細胞組織６３の端面とSQUID1との距離を小さくし、磁気信号の検出感度及び空間分解能を高くするために、円盤型試料ホルダー６２にＳＱＵＩＤ６１を接近して配置した構成とする。円盤型試料ホルダー６２にＳＱＵＩＤ６１を接近して配置するために、ＳＱＵＩＤ６１を液体窒素６４により直接冷却するのではなく、熱伝導率の高い銅ロッド６５及びサファイアロッド６６を介して
ＳＱＵＩＤ６１を間接的に冷却する構造を採用している。ＳＱＵＩＤ６１と銅ロッド６５との間にサファイアロッド６６を介することにより、銅ロッド６５から発生する磁気雑音の影響を低減する効果がある。
【００３７】
真空断熱容器６７の外槽６７ａ，内槽６７ｂはＳＵＳやＦＲＰ等の非磁性材料で構成される。また、円盤型試料ホルダー６２内の微量な磁気微粒子とＳＱＵＩＤ６１の距離を小さくするために、ＳＱＵＩＤ６１と検査細胞組織６３の端面との間は、厚さ１mm以下の薄いサファイアウインドウ６８で隔てられている。磁場を高効率で検出するためには、
ＳＱＵＩＤ６１と検査細胞組織６３の端面の内部底面との距離は１.５mm 以下であることが望ましい。液体窒素６４は補給配管６９から補充される。外槽６７ａ，内槽６７ｂとの間は断熱真空空間である。
【００３８】
検査細胞組織６３は非磁性材料で作製された円盤型試料ホルダー６２に固定された円筒状のサファイア支持筒７０内をスライドできるように挿入されている。これにより、上下移動機構７１で支持された上下移動体７２に端部を支持された上下ロッド７３により、検査細胞組織６３は円筒状のサファイア支持筒７０内を上下に昇降制御される。円盤型試料ホルダー６２内には、例えばドライアイス等で冷却されたアルコールや不凍液等の冷媒
７４が満たされているため、その冷熱で円筒状のサファイア支持筒７０は−８０℃の低温に冷やされ、検査細胞組織６３は氷結して固形化されている。
【００３９】
サファイア支持筒７０内面には、検査細胞組織６３との摩擦係数を低減するためにフッ素樹脂等の低摩擦係数を有する物質がコーティングされていることが望ましい。上下ロッド７３と円盤型試料ホルダー６２はベロー７５で気密的に一体化され、冷媒７４が漏れ出さないようにされている。また、サファイア支持筒７０下部と円盤型試料ホルダー６２は接着剤で気密的に一体化されている。円筒状のサファイア支持筒７０には、その内部に冷媒７４が入り込み検査細胞組織６３をより良く冷却するために、導入口を設けることが望ましい。
【００４０】
円盤型試料ホルダー６２は回転シャフト７６で回転制御される。円盤型試料ホルダー
６２と回転シャフト７６は接着剤等で気密的に一体化されている。回転シャフト７６は支持台７７上を移動可能な支持移動体７８内の磁気ノイズの少ない例えば超音波モータ（図示せず）で回転制御されている。また、上下移動体７２は、円盤型試料ホルダー６２と伴周りし、しかも回転シャフト７６を芯軸として上下移動機構７１により上下に昇降制御される。それぞれの制御は、電気演算制御装置７９から信号線８０を通じて操作される。
【００４１】
円盤型試料ホルダー６２の回転位置検出を行うために、円盤型試料ホルダー６２の周辺部につけられたマーカー（図示せず）に位置検知装置８１からレーザー光を照射し、その反射光を位置検知装置内の光学センサーで読み取り、その情報を信号線８２で電気演算制御装置７９に送信する。
【００４２】
また、ＳＱＵＩＤ６１の周囲は検査環境の磁気的ノイズを遮蔽するために、パーマロイ製等の外磁気シールド壁８３ａ，内磁気シールド壁８３ｂの二重の磁気シールド８３で囲われており、一部は円盤型試料ホルダー６２が出入りできるように開放されている。磁気シールド８３の外には、検査細胞組織３の端面部を切削する目的で、回転するセラミック等の素材で製作された鋭利な非磁性のカッター刃８４を有する等の切削手段である回転カッター８５が設けられている。回転カッター８５はモーター８６，上下昇降機構８７に支持された軸８８で、その回転数，位置を支持アーム８９を通じて電気演算制御装置７９からの信号線８０を通じて操作される。
【００４３】
回転カッター８５の端部域には、カッター刃に付いた検査細胞組織６３の切削片を例えば空気吹き付け吸引機構等を有して除去し回収するクリーナ９０が、支持アーム９１回して支持アーム８９に設けられている。そして、その運転は電気演算制御装置７９からの信号線８０を通じて操作される。また、円盤型試料ホルダー６２の上部カバー９２に切削時に落ちた検査細胞組織６３の切削片は、例えば空気吹き付け吸引機構等を有して除去し回収するクリーナ９３で同様に除去される。そしてその運転は信号線９４を介して電気演算制御装置７９で操作される。
【００４４】
このようにして、円盤型試料ホルダー６２上に固形化された検査細胞組織６３は、カッター刃８４でその端面をスライス除去され回転方向に平行な面を露出する。検査細胞組織６３の端面を所定の厚さ例えば０.５mm 削りとられた後は、その端面を所定の円盤型試料ホルダー６２の回転位置で光学的な顕微鏡９５で撮影し、その画像データは例えばデジタルカメラ９６で信号化され、信号線９７を通じて電気演算制御装置７９に伝送されて電子的画像データとして保存される。検査細胞組織６３の端面部は、発光ダイオード等で構成された照明９８で撮影に必要な適切な照度が確保され、その制御は信号線９９を介して電気演算制御装置７９で操作される。こうして、端面を光学顕微鏡で撮影されて例えばデジタル化された第一画像データを取得する。
【００４５】
検査細胞組織６３内に含まれる微量な磁性薬剤を構成する微磁性粒子を磁化するための磁化用の永久磁石１００は、上限昇降機構１０１に支持された軸１０２に取り付けられ、信号線１０３を介してその昇降位置は電気演算制御装置７９で制御操作される。ここで、検査細胞組織６３内に含まれる微量１０の移動により、永久磁石１００円盤型試料ホルダー６２側に移動され、かつ円盤型試料ホルダーが回転して検査細胞組織６３の切削端面部を永久磁石の直下に移動させる。このようにして検査細胞組織６３内に含まれる微量な磁性薬剤を構成する微磁性粒子を磁化させる。
【００４６】
その後、一旦励磁用の永久磁石１００は、ＳＱＵＩＤ６１の磁気ノイズに成らない位置に円盤型試料ホルダー６２およびＳＱＵＩＤ６１側から離れるように移動させる。その後、円盤型試料ホルダー２を回転させて検査細胞組織３を磁気シールド２３で囲まれた
ＳＱＵＩＤ６１の直下に移動させる。ここで検査細胞組織６３端面部分をＳＱＵＩＤ６１直下で回転移動させ、ＳＱＵＩＤ６１をよぎる磁束変化量を精密に計測する。この際、測定精度を増すために、円盤型試料ホルダー６２をＳＱＵＩＤ６１の直下で複数回例えば
１０回、回転もしくは正逆運転による往復回転させて複数のデータを取得しデータを信号線１０４で電気演算制御装置７９に送信し、電気演算制御装置７９内でその平均値を算出して第一磁束量ａとしてそのデータを保存する。
【００４７】
その後、円盤型試料ホルダー６２を回転させて検査細胞組織６３を磁気シールドの外に移動し、上下移動機構７１により上下移動体７２を所定の上昇量例えば０.５mm 上昇させ、上下ロッド７３によりサファイア支持筒７０内の検査細胞組織６３を０.５mm 上昇させる。その上昇分をカッター刃８４で切削して再び上下移動機構７１により上下移動体７２を切削前に上昇した量０.５mm 下降させ、上下ロッド７３によりサファイア支持筒７０内の検査細胞組織６３を０.５mm 下降させる。
【００４８】
次に、今度は磁化させずにそのまま円盤型試料ホルダー６２を回転させて検査細胞組織６３を磁気シールドで囲まれたＳＱＵＩＤ６１の直下に移動させ、第一磁束量ａを取得した時と同様な操作で検査細胞組織６３端面部分の第一磁束量ｂのデータを取得する。
【００４９】
次に、電気演算制御装置７９で第一磁束量ａから第一磁束量ｂを差し引いた第一の磁束差分量を求める。この操作により、第一磁束量ａから第一磁束量ｂの計測間に削除された第一の画像データが削除した検査細胞組織端面切片分の磁束量と計算される。
【００５０】
第二の磁束量を計測するために、円盤型試料ホルダー６２を回転させて検査細胞組織
６３を磁気シールドの外に移動して上下移動機構７１により上下移動体７２を所定の上昇量０.５mm 上昇させる。
【００５１】
次に、カッター刃８４による切削操作は行わず、その端面を所定の円盤型試料ホルダー６２の回転位置で光学的な顕微鏡９５で撮影する。撮影された画像データは例えばデジタルカメラ９６で信号化され、信号線９７を通じて電気演算制御装置７９に伝送されて第二画像データとしてとして保存される。
【００５２】
次に、上限昇降機構１０１により永久磁石１００円盤型試料ホルダー６２側に移動して円盤型試料ホルダーが回転し、検査細胞組織６３の切削端面部を永久磁石の直下に移動して検査細胞組織６３内の微磁性粒子を磁化させる。
【００５３】
その後、励磁用の永久磁石１００はＳＱＵＩＤ１の磁気ノイズにならない位置に、円盤型試料ホルダー６２およびＳＱＵＩＤ６１側から離れるように移動させる。移動後、円盤型試料ホルダー６２を回転させて検査細胞組織６３を磁気シールド８３で囲まれたSQUID
６１の直下に移動させる。その後、検査細胞組織６３端面部分をＳＱＵＩＤ６１直下で回転移動させ、円盤型試料ホルダー６２をＳＱＵＩＤ６１の直下で１０回、回転もしくは正逆運転による往復回転させて複数のデータを取得しデータを信号線１０４で電気演算制御装置７９に送信し、電気演算制御装置７９内でその平均値を算出し、第二磁束量ａとしてそのデータを保存する。
【００５４】
その後、円盤型試料ホルダー６２を回転させて検査細胞組織６３を磁気シールドの外に移動し、上下移動機構７１により上下移動体７２を所定の上昇量例えば０.５mm 上昇させ、上下ロッド７３により、サファイア支持筒７０内の検査細胞組織６３を０.５mm 上昇させ、その上昇分をカッター刃８４で切削し、再び、上下移動機構７１により上下移動体
７２を切削前に上昇した量０.５mm 下降させ、上下ロッド７３により、サファイア支持筒７０内の検査細胞組織６３を０.５mm 下降させる。
【００５５】
次に、今度は磁化させずにそのまま円盤型試料ホルダー６２を回転させて検査細胞組織３を磁気シールドで囲まれたＳＱＵＩＤ６１の直下に移動させ、第二磁束量ａを取得した時と同様な操作で検査細胞組織６３端面部分の第二磁束量ｂのデータを取得する。
【００５６】
次に、電気演算制御装置７９で第二磁束量ａから第二磁束量ｂを差し引いた第二の磁束差分量を求める。この操作により、第二磁束量ａから第二磁束量ｂの計測間に削除された第二の画像データの検査細胞組織端面切片分の磁束量と計算される。次に、第三の磁束量を計測するために、円盤型試料ホルダー６２を回転させて検査細胞組織６３を磁気シールドの外に移動し、上下移動機構７１により上下移動体７２を所定の上昇量０.５mm 上昇させる。
【００５７】
この作業を繰り返して各層のデータを所得し、電気演算制御装置７９に保存した各層毎のデータをデジタル処理し、画像データから検査細胞組織全体の立体画像化する。さらに、各層の磁束量データから同装置を使用して別途実験的に求めた微量磁性薬剤単体量と、測定磁束量の校正データから各切削層の磁束量から微量磁性薬剤量を計算により求め、検査細胞組織６３内の微量磁性薬剤量の分布から濃度分布を画像化し、光学的３Ｄ映像と重なるように微量磁性薬剤量の濃度分布を画像化することができる。画像化した画像は、モニター１０５に写しだされる。
【００５８】
また、検査装置は低温下で操作されるので大気中の水分が結露する。したがって、これを防止するために装置をカバーで覆い、除湿装置１０６で湿度を下げた空気をダクト107でカバー１０５ａ内に送風し、カバー１０５ａ内を僅かにカバー外の大気の圧力より高めに維持し、結露を防止するようにしている。
【００５９】
以上、本実施例では、細胞組織試料の位置制御及び連続計測を容易操作でき、細胞組織試料を冷却固形化し、細胞組織試料を順次スライスし、その切片毎の画像撮影するともに、磁束量を切削前後の磁束量の差分値により求め、その磁性質量を精密に、かつ正確に計測できるので、細胞組織試料の厚さ方向の濃度分布を正確に効率良く計測することができ、細胞組織試料に含まれる磁性薬剤の総量と濃度分布を３次元的に画像データとともに計測し、その濃度分布を細胞組織試料の３次元画像とともにモニター１０５に表示し、可視化することができる効果がある。
【００６０】
なお、本実施例では細胞組織試料を固形化するのに、ドライアイスで冷却した冷媒を使用したが、ドライアイスの代わりに液体窒素や液体空気を使用しても同様な効果が生じる。
【実施例２】
【００６１】
図４は他の実施例を示す装置の概略構成図である。  
図３の実施例では、検査細胞組織６３を氷結固形化するのに、ドライアイスで冷却した冷媒を使用したが、図４の実施例ではドライアイスの代わりにペルチェ素子等を用い、電磁ノイズが少ない電子冷凍装置１０８で冷却する構成としたものである。これにより、電子冷凍装置１０８への電力供給は電気演算制御装置７９に結線された配線１０９を介して行われる。
【００６２】
本実施例によれば、ドライアイスを供給しなくても冷媒７４を冷却できるので、ドライアイス等の冷却源を購入冷凍保存する必要が無く、さらに運転操作がより容易となる新たな効果が生じる。
【実施例３】
【００６３】
図５は他の実施例を示す装置の概略構成図である。  
図４の実施例では、検査細胞組織６３を氷結固形化するのに、ドライアイスで冷却した液体冷媒を使用したが、図５の実施例では液体冷媒の代わりに電子冷凍装置１０８で検査運転前に事前に時間をかけて冷却できるアルミニュームや銅のような蓄熱効果のある非磁性の蓄熱体１１１を配置する構成としたものである。このとき、蓋１１０は容器全体を断熱的に覆い、円盤型試料ホルダー６２は断熱性に優れた材料で構成する。サファイア支持筒７０と蓄熱体１１１は接着剤等で熱的に一体化されている。
【００６４】
本実施例によれば、液体冷媒を供給，補給しなくてもサファイア支持筒７０を冷却できるので運転操作がより容易となる効果が生じる。
【実施例４】
【００６５】
図６は他の実施例を示す装置の概略構成図である。  
本実施例が図５の実施例と異なる点は、検査細胞組織６３を氷結固形化するのに、サファイア支持筒７０を電子冷凍装置１０８で直接冷却する構成とした点である。サファイア支持筒７０と電子冷凍装置１０８は接着剤等で熱的に一体化されている。
【００６６】
本実施例によれば、液体冷媒や蓄熱体を必要としないので装置構成が簡単となり装置がさらに軽量化できる新たな効果が生じる。
【００６７】
また、以上の実施例では、ＳＱＵＩＤ６１で測定する範囲を、円盤型試料ホルダー６２を支持台７７の一点の位置で、円盤型試料ホルダー６２を回転させて検査細胞組織６３がＳＱＵＩＤ６１直下をよぎる際の磁場変化量で磁束量を計測していたが、円盤型試料ホルダー６２をＳＱＵＩＤ６１直下で小刻みに移動させることにより、検査細胞組織６３端面の移動円周平面内の小領域間の磁束変化を測定することで、検査細胞組織６３端面内の回転方向の円周方向磁束量分布も測定可能となる。この場合、支持移動台を円盤型試料ホルダー６２の回転半径方向に移動制御し、同様な計測を実施することにより、検査細胞組織６３端面内の回転方向の半径方向磁束量分布も測定可能となる効果が生じる。
【００６８】
なお、本発明では検査細胞組織６３を寒天等の常温固形剤で固形化すれば、冷却源および結露防止構造は不要となり、さらに運転効率よく細胞組織試料に含まれる磁性薬剤の総量と濃度分布を３次元的に画像データとともに計測し、その濃度分布を作成できる。
【００６９】
以上、本発明によれば、細胞組織試料の位置制御及び連続計測を容易操作でき、細胞組織試料を冷却固形化し、細胞組織試料を順次スライスし、その切片毎の画像撮影するともに、磁束量を切削前後の磁束量の差分値により求め、その磁性質量を精密に、かつ正確に計測できるので、細胞組織試料の厚さ方向，平面方向の濃度分布を正確に効率良く計測することができ、細胞組織試料に含まれる磁性薬剤の総量と濃度分布を３次元的に画像データとともに計測し、その濃度分布を細胞組織試料の３次元画像とともにモニター１０５に表示し、可視化することができる効果がある。
【００７０】
以上のごとく本発明は、検査細胞組織内に３次元的に分布した微量な磁気微粒子に外部磁場を印加する手段として磁石又は磁場発生コイルが磁気シールドの外部に配置され、微量な磁気微粒子から発生する磁場を検出する磁気センサーが磁気シールドの内部に配置される。微量な磁気微粒子を含有する検査細胞組織を収納する円盤型試料ホルダーは、非磁性体から構成される円盤型試料ホルダーの円周上に保持される。
【００７１】
非磁性の円盤型試料ホルダーは、複数の円盤型試料ホルダーを円周上に固定する機構を具備する。円盤型試料ホルダーは、超音波モーターから構成される回転機構により回転可能である。ＳＱＵＩＤ磁気センサーは、磁気シールド装置の内部に配置される。円盤型試料ホルダーを磁気シールド装置内に挿入するための移動機構及び位置調整機構が設けられる。
【００７２】
円盤型試料ホルダーの回転位置検出を行うために、円盤型試料ホルダーの周辺部につけられたマーカーにレーザー光を照射し、その反射光を光学センサーで読み取ることによって位置検出を行う機構が設けられる。円盤型ホルダーの一部が磁気シールドの外部に露出するように、磁気シールドの一部には円盤型ホルダー及び上記の回転機構を通すための穴が空けられており、ある位置の円盤型試料ホルダーに設置された試料中の微量な磁気微粒子から発生する磁場の計測中も上記の磁石又は磁場発生コイルにより、上記のある位置と異なる位置の円盤型試料ホルダーの試料中の微量な磁気微粒子を磁化させることが可能なように構成される。
【００７３】
一方、資料容器に固定された検査細胞組織は、磁気シールドの外部で回転するセラミック等の素材で製作された鋭利な非磁性のカッター刃等の切削手段でその端面を厚さ１μｍ以上の所定の厚さで削りとられ、その端面を所定の円盤型試料ホルダーの回転位置で光学的な顕微鏡で撮影し、その画像データはパーソナルコンピュータ等の電子的画像保存され、加工装置及びカッティング，回転駆動制御は、電気的制御装置でコントロールされることが可能なように構成される。ここで、検査細胞組織を冷凍装置等の固形化手段で例えば氷結させ固相状態を維持させることが可能なように構成される。
【００７４】
このようにして、円盤型試料ホルダー上に固形化された検査細胞組織は、切削手段でその端面をスライス除去され回転方向に平行な面を露出し、円盤型試料ホルダーを回転させて検査細胞組織を光学顕微鏡直下に移動させ、まずその端面を光学顕微鏡で撮影されて例えばデジタル化された第一の画像データを取得する。なお、切削手段のカーター部は切削作業後、ふき取り容器内に移動し刃先部の切削片を十分に除去される。その後、励磁用の永久磁石を円盤型試料ホルダー側に移動させ、かつ、円盤型試料ホルダーを回転させて検査細胞組織を永久磁石直下に移動させ磁化させ、その後、一旦、励磁用の永久磁石を円盤型試料ホルダー側から離れるように移動させる。その後、円盤型試料ホルダーを回転させて検査細胞組織を磁気シールドで囲まれたＳＱＵＩＤ素子の直下に移動させ、検査細胞組織端面部分の第一磁束量ａのデータを取得する。
【００７５】
その後、円盤型試料ホルダーを回転させて検査細胞組織を磁気シールドの外に移動し、微量昇降手段で所定の距離分上昇させ、切削手段でその昇降分の端部をスライス除去する。次に、今度はそのまま円盤型試料ホルダーを回転させて検査細胞組織を磁気シールドで囲まれたＳＱＵＩＤ素子の直下に移動させ、検査細胞組織端面部分の第一磁束量ｂのデータを取得する。そして、電子演算手段で第一磁束量ａから第一磁束量ｂを差し引いた第一の磁束差分量が、第一磁束量ａから第一磁束量ｂの計測間に削除された第一の画像データの検査細胞組織端面部分の磁束量と計算される。この作業を繰り返して各層のデータを所得し、各層毎のデータを画像化することで、光学的３Ｄ映像と重なるように磁束量の濃度分布を画像化することができる。
【００７６】
本発明の微量磁性薬剤検出装置は、微量な磁気微粒子から発生する磁場を高感度に検出するＳＱＵＩＤ，ＳＱＵＩＤを冷却するクライオスタット，ＳＱＵＩＤを駆動する駆動回路を有し、ＳＱＵＩＤの出力を収集し、表示及び加算処理を行う装置を有する。また、
ＳＱＵＩＤをレーザー又はハロゲンランプの光源によって超電導転移温度以上に加熱して、磁気雑音の原因となる磁束トラップを除去するためのＳＱＵＩＤ昇温用光源を有する。この磁束トラップの除去は、磁場の計測に先立って実行される。
【００７７】
なお、本発明の微量磁性薬剤検出装置では、磁気センサーの検出コイル面と検査細胞組織端面との距離をｄとした時、隣接する試料もしくは磁気を有する部品等をｄ√２以上の間隔を置いて配置して、即ち、隣接する試料もしくは磁気を有する部品等との間のギャップ距離をｄ√２以上として、隣接する部材から発する磁気信号の干渉を抑制している。また、ＳＱＵＩＤの磁気雑音の原因となる磁束トラップを短時間で除去するために、SQUID昇温用光源を設けている。円盤型試料ホルダーのための回転機構には磁気雑音の小さな超音波モーターを使用した。微量な磁気微粒子の磁気信号をより正確に計測するために、円盤型試料ホルダーを複数回回転させて、試料が回転している状態で、１回転毎に微量な磁気微粒子の磁気信号を計測し、加算平均を行えるようにしている。
【００７８】
以上、本発明の微量磁性薬剤検出装置を要約すると、以下の通りである。細胞組織試料の位置制御及び連続計測を容易にするため、回転機構により回転制御可能な固形化手段を有する円盤型試料ホルダーを用いた。細胞組織試料を順次スライスし、その切片毎の磁束量を切削前後の磁束量の差分値により求める計測の検出方法を用いた。
【００７９】
以上のようにして、微量な磁気微粒子の計測において、細胞組織試料の厚さ方向の濃度分布を効率良く計測可能としている。
【図面の簡単な説明】
【００８０】
【図１】微量な磁気微粒子を用いた磁性薬剤の構造を説明する図である。
【図２】従来の磁気微粒子をＳＱＵＩＤを用いてその磁束量を計測する装置の構造例を説明する図である。
【図３】本発明の一実施例になる微量磁性薬剤検出装置の構成を説明する図である。
【図４】本発明の他の実施例になる微量磁性薬剤検出装置の構成を説明する図である。
【図５】本発明の他の実施例になる微量磁性薬剤検出装置の構成を説明する図である。
【図６】本発明の他の実施例になる微量磁性薬剤検出装置の構成を説明する図である。
【符号の説明】
【００８１】
４  回転機構
６１  高温超電導ＳＱＵＩＤ
６２  円盤型試料ホルダー
６３  検査細胞組織
６４  液体窒素
６５  銅ロッド
６６  サファイアロッド
６７  真空断熱容器
６８  サファイアウインドウ
７０  サファイア支持筒
７１  上下移動機構
７２  上下移動体
７３  上下ロッド
７４  冷媒
７６  回転シャフト
７９  電気演算制御装置
８３，８３ａ，８３ｂ  磁気シールド
８４  カッター刃
８７  上下昇降機構
９０  クリーナ
９５  顕微鏡
９６  デジタルカメラ
１００  永久磁石
１０１  上限昇降機構
１０５  モニター
１０５ａ  カバー
１０６  除湿装置
１０８  電子冷凍装置
１０９  配線
１１１  蓄熱体
【図１】
2008157786.tif 000003
【図２】
2008157786.tif 000004
【図３】
2008157786.tif 000005
【図４】
2008157786.tif 000006
【図５】
2008157786.tif 000007
【図６】
2008157786.tif 000008